(57)【特許請求の範囲】
【請求項１】
複数の下地軸材の両面に面材がそれぞれ貼り付けられた間仕切壁において、
前記面材の少なくとも一方が重量面材とされていると共に、前記面材と下地軸材との間に振動分離材が介装され、前記振動分離材は振動分離ゴムであり、前記振動分離ゴムは帯状に形成されていると共に間隔を置いて配置された下地軸材間に跨って配設されていることを特徴とする間仕切壁。
【請求項２】
複数の下地軸材の両面に面材がそれぞれ貼り付けられていると共に、上縁が天井ボードに沿わせられた間仕切壁を天井に取り付けた間仕切構造において、
前記面材の少なくとも一方は重量面材とされていると共に、前記面材と下地軸材との間に振動分離材が介装され、前記振動分離材は振動分離ゴムであり、前記振動分離ゴムは帯状に形成されていると共に間隔を置いて配置された下地軸材間に跨って配設され、前記天井ボードの前記面材に沿う部分に帯状制振シートを介して帯状吸音ボードが貼り付けられていることを特徴とする間仕切構造。
【請求項３】
請求項１〜２のいずれか一つに記載の間仕切壁又は間仕切構造を有することを特徴とする建物。
【発明の詳細な説明】
【０００１】
【産業上の利用分野】
この発明は、遮音構造を備える間仕切壁、間仕切構造及びそれを用いた建物に関するものである。
【０００２】
【従来の技術】
従来、遮音構造を備える壁としては、特開平１１−１７２８０４号公報に開示された様な壁構造がある。この公報には、図１０，図１１に示したような壁構造が開示されている。
【０００３】
この図１０に示した壁構造は、間隔をおいて配設された軸材１，１と、軸材１の中央部に端部が保持された繊維系断熱材２と、繊維系断熱材２と間隔をおいた状態で軸材１，１に貼り付けられた面材３，３を有する。また、図１１に示した壁構造は、千鳥状に配設された軸材１，１′と、軸材１，１′の対向する側の端部に保持された繊維系断熱材２と繊維系断熱材２と間隔をおいた状態で軸材１，１′にそれぞれ貼り付けられた面材３，３′を有する。
【０００４】
【発明が解決しようとする課題】
しかしながら、図１０に示した壁構造では、面材３が軸材１に直接接触した状態で取り付けられているため、面材３から軸材１へ振動が伝播し易いので、遮音性が充分ではない。
【０００５】
また、図１１に示した壁構造では、面材１に貼り付けられた面材３は軸材１′に直接接触しておらず、且つ面材１′に貼り付けられた面材３′は軸材１に直接接触していないので、振動伝播を抑制可能に考慮されているものの、壁厚が大きくなると共に、軸材の数を増やす必要があった。
【０００６】
そこで、この発明は、振動が伝播しにくく、壁厚が大きくならず、又、軸材の数が多くなることのない間仕切壁、間仕切構造及びそれを有する建物を提供することを目的とするものである。
【０００７】
【課題を解決するための手段】
この目的を達成するため、請求項１の発明の間仕切壁は、複数の下地軸材の両面に面材がそれぞれ貼り付けられた間仕切壁において、前記面材の少なくとも一方が重量面材とされていると共に、前記面材と下地軸材との間に振動分離材が介装され、前記振動分離材は振動分離ゴムであり、前記振動分離ゴムは帯状に形成されていると共に間隔を置いて配置された下地軸材間に跨って配設されていることを特徴とする。この構成によれば、重量面材と振動分離材の作用により、振動が伝播するのを防止できる。この結果、振動が伝播しにくく、壁厚が大きくならず、又、軸材の数が多くなることを避けることができる。また、振動分離ゴムの振動吸収作用により、振動の伝播を良好に防止できる。このとき、下地軸材と面材との対向面積のうち空気で分離されている面積が大きい方がよい。また、下地軸材と振動分離ゴムとの対向面積、振動分離ゴムと面材との対向面積はそれぞれ小さい方が遮音上よい。更に、面材と下地軸材とが接触せず、これらと振動分離ゴムとの接触面積も小さくなり、更に振動が伝播しにくくなる。振動分離ゴムは吸音材の保護にも機能しうる。
【０００８】
更に、上述した目的を達成するため、請求項２の発明の間仕切構造は、複数の下地軸材の両面に面材がそれぞれ貼り付けられていると共に、上縁が天井ボードに沿わせられた間仕切壁を天井に取り付けた間仕切構造において、前記面材の少なくとも一方は重量面材とされていると共に、前記面材と下地軸材との間に振動分離材が介装され、前記振動分離材は振動分離ゴムであり、前記振動分離ゴムは帯状に形成されていると共に間隔を置いて配置された下地軸材間に跨って配設され、前記天井ボードの前記面材に沿う部分に帯状制振シートを介して帯状吸音ボードが貼り付けられていることを特徴とする。この構成によれば、請求項１の作用効果に加え、帯状吸音ボードに音が入射したとき、帯状吸音ボードで吸音され、この際吸音ボードの振動は制振シートで抑制されるので、天井部における振動が伝播しにくくなる。また、この吸音ボードで吸収されずに反射した１次反射音は、音量が小さくなっていると共に重量壁体で反射されるので、壁体を介して他の部屋に漏れる音を減少させることができる。更に、壁体の一対の面材の少なくとも上部間に吸音材が配設されていれば、仮に面材の上部を透過した音も吸音材で吸音されるので、更に他の部屋に漏れる音を減少させることができる。
【０００９】
また、請求項３の発明の建物は、請求項１〜２のいずれか一つに記載の間仕切壁又は間仕切構造を有することを特徴とする。この構成によれば請求項１〜２のいずれか一つに対応する効果を有する。
【００１０】
【発明の実施の形態１】
以下、この発明の実施の形態１を説明する。
【００１１】
（参考例）
図１は、この発明の間仕切壁を有する建物の要部を示したものである。図１において、間隔をおいて並設された多数の天井下地材１０の下面には天井ボード１１が貼り付けられている。
【００１２】
この天井ボード１１の下方には間仕切壁１２で区画される室Ａ，Ｂが設けられている。この間仕切壁１２は、図２に示したように枠体（壁枠）１３，吸音材１４，１４，重量面材１５及び面材１６を有する。枠体１３は、縦下地軸材１７，１７間に横下地軸材１８，１８を渡架して枠状に形成したものである。また、吸音材１４，１４はグラスウールやロックウール等の断熱用の繊維を板状に形成したもので、縦下地軸材１７，１７間に配設されていると共に、横下地軸材１８，１８に保持されている。この下地軸材１７，１８の左右両面には、図１に示したように、振動分離材として振動分離ゴム１９、１９が貼り付けられている。この振動分離ゴム１９は図２に示したように下地軸材１７，１８に一面又は他面を覆うように設けられている。
【００１３】
また、重量面材１５は、重量石膏ボード，鉛付きボード等から形成されていて、枠体１３の一面を閉成するように下地軸材１７，１８の一面に振動分離ゴム１９を介して固定されている。この重量面材１５を形成する重量石膏ボード，鉛付きボード等は面密度が１５ｋｇ／ｍ2以上であるのが望ましい。更に、面材１６には、石膏ボード等の普通ボードが用いられていると共に、枠体１３の他面を閉成するように下地軸材１７，１８の他面に振動分離ゴム１９を介して固定されている。これにより、振動分離ゴム１９，１９は、面材１５，１６と下地軸材１７，１８との間に介装された構成となっている。尚、図示は省略したが、面材１５，１６は吸音材１４や下地軸材１７，１８等にビスで固定される。
【００１４】
この構成によれば、室Ａ内で発生する音が重量面材１５に入力されると、音の大半が重量面材１５で反射される。この際、重量面材１５に振動が発生しても、この振動は振動分離ゴム１９の作用により吸収されて下地軸材１７，１８に殆ど伝播することなく絶縁される。また、この振動により吸音材１４と重量面材１５との間の空間の空気が振動しても、この振動による音は吸音材により吸収される。従って、室Ａ内で発生した音は室Ｂに伝播しにくく、又、この際発生する振動が室Ｂ側に伝播するのを防止できる。この様な間仕切壁１２は、振動が伝播しにくく、壁厚が大きくならず、又、軸材の数が多くなることを避けることができる。
【００１５】
尚、下地軸材１７，１８と面材１５，１６との対向面積のうち空気で分離されている面積が大きい方がよい。また、下地軸材１７，１８と振動分離ゴム１９との対向面積、振動分離ゴム１９と面材１５，１６との対向面積はそれぞれ小さい方が遮音上よい。また、面材１６は重量面材とすることもできる。
（変形例１；実施例）
以上説明した参考例では下地軸材１７，１８の左右両面全体を覆うように貼り付けられているが必ずしもこれに限定されるものではない。例えば、図３、図４に示したように構成してもよい。この変形例では、図４に示したように細幅で縦長の振動分離ゴム１９を振動分離材として複数用意しておいて、この複数の振動分離ゴム１９を図４に示したように左右に間隔をおいて配設すると共に、この複数の振動分離ゴム１９を横下地軸材１８，１８に跨って配設し、この複数の振動分離ゴム１９の上端部及び中間部を上下の横下地軸材１８，１８に貼り付け固定する。そして、この複数の振動分離ゴム１９上に枠体１３の一面を覆う重量面材１５を固定する。この固定は、重量面材１５を図５に示したように吸音材１４や下地軸材１７，１８等にビス２１を螺着することにより行われる。
【００１６】
この構成によれば、重量面材１５と下地軸材１７，１８との対向面の殆どが空気層になるので、重量面材１５と下地軸材１７，１８との接触面積が小さくなり、更に振動が伝播しにくくなる。
【００１７】
このとき、下地軸材１８と重量面材１５との対向面積のうち空気で分離されている面積が大きい方がよい。また、下地軸材１８と振動分離ゴム１９との対向面積、振動分離ゴム１９と重量面材１５との対向面積はそれぞれ小さい方が遮音上よい。また、振動分離ゴム１９は吸音材の保護にも機能しうる。
【００１８】
尚、本変形例では、下地軸材１７，１８に沿って、面材１６と下地軸材１７，１８との間に振動分離ゴムを配設するのを省略している。
（変形例２；参考例）
上述した例では、振動分離材を振動分離ゴム１９としたが必ずしもこれに限定されるものではない。例えば、図６〜図８に示したように、下地軸材１７，１８の一面全体に砂，ビーズ等で粒径１ｍｍ程度の骨材を塗料と共に塗装することにより、下地軸材１７，１８の一面全体に骨材層２２を振動分離材として設け、この骨材層２２上に重量面材１５を接触固定する構成としてもよい。
【００１９】
この構成のよれば、重量面材１５と下地軸材１７，１８との接触面積が骨材層２２により小さくなるので、振動が伝播しにくく、絶縁される。
【００２０】
【発明の実施の形態２】
（参考例）
図９は、この発明の実施の形態２の間仕切構造を示したものである。本実施の形態は、図１における振動分離ゴム１９を省略して、間仕切壁１２の天井側に遮音構造を設けた例を示したものである。尚、間仕切壁は発明の実施の形態１に記載したものであってもよい。間仕切り壁が前記変形例１に示したものの場合、実施例となる。
【００２１】
即ち、天井ボード１１の面材１５，１６に沿う部分に帯状制振シート２３，２４を介して帯状吸音ボード２５，２６がそれぞれ貼り付固定されている構成としたものである。この貼り付けは、図示しないビスで帯状制振シート２３と帯状吸音ボード２５及び帯状制振シート２４と帯状吸音ボード２６を天井下地材１０や天井ボード１１に固定することにより行うことができるが、接着剤により行うこともできる。この制振シート２３，２４には例えばアスファルト系，ゴム系，オレフィン系等のシートが用いられ、帯状吸音ボード２５，２６にはロックウール等が用いられる。
【００２２】
また、面材１５，１６間の天井側の部分には、グラスウールやロックウール等の繊維を板状に形成した吸音材２７が介装されている。
【００２３】
この構成によれば、帯状吸音ボード２５に音が入射したとき、この音の一部が帯状吸音ボード２５で吸収される。この際、帯状吸音ボード２５が振動させられるが、この振動が制振シート２３で吸収される。この結果、天井を介して室Ａから隣室Ｂに漏れる音の大半は、帯状吸音ボード２５で減衰され（吸音され）ることになる。尚、制振シート２３は天井全体に張る必要がなく、意匠的に問題なければ、幅３０ｃｍ程度でよい。この場合、制振シート２３の段差を意図的に見せることで、意匠的に審美感を得ることができる。
【００２４】
そして、帯状吸音ボード２５で吸収されなかった音は、１次反射音として重量面材１５側に反射して重量面材１５で反射される。この際、吸音材２７側に漏れた音は吸音材２７で吸収されることになる。従って、室Ａ側で間仕切壁１２近くの天井側に入射する音は良好に吸音されるので、この際、帯状吸音ボード２５の振動は制振シート２３で抑制されるので、天井ボード１１を伝わる固体伝播音が小さいものとなり、天井部における振動が伝播しにくくなる。
【００２５】
また、帯状制振シート２４及び帯状吸音ボード２６についても、１次反射音が面材１６から吸音材２７側に漏れたときに、この漏れた２次音が吸音材２７で吸音され、重量面材１５で反射されて吸音材２７で吸収される以外は、上述と同様である。
【００２６】
尚、図１〜図９の構造は組み合わせて使用することもできる。この場合には、より効果的に遮音できる。
【００２７】
【発明の効果】
以上説明したように、請求項１の発明の間仕切壁は、複数の下地軸材の両面に面材がそれぞれ貼り付けられた間仕切壁において、前記面材の少なくとも一方が重量面材とされていると共に、前記面材と下地軸材との間に振動分離材が介装されている構成としたので、重量面材と振動分離材の作用により、振動が伝播するのを防止できる。この結果、振動が伝播しにくく、壁厚が大きくならず、又、軸材の数が多くなることを避けることができる。また、前記振動分離材が振動分離ゴムである構成としたので、振動分離ゴムの振動吸収作用により、振動の伝播を良好に防止できる。このとき、下地軸材と面材との対向面積のうち空気で分離されている面積が大きい方がよい。また、下地軸材と振動分離ゴムとの対向面積、振動分離ゴムと面材との対向面積はそれぞれ小さい方が遮音上よい。更に、前記振動分離ゴムが帯状に形成されていると共に間隔を置いて配置された下地軸材間に跨って配設されている構成としたので、面材と下地軸材とが接触せず、これらと振動分離ゴムとの接触面積も小さくなり、更に振動が伝播しにくくなる。振動分離ゴムは吸音材の保護にも機能しうる。
【００２８】
更に、請求項２の発明の間仕切構造は、複数の下地軸材の両面に面材がそれぞれ貼り付けられていると共に、上縁が天井ボードに沿わせられた間仕切壁を天井に取り付けた間仕切構造において、前記面材の少なくとも一方は重量面材とされていると共に、前記面材と下地軸材との間に振動分離材が介装され、前記振動分離材は振動分離ゴムであり、前記振動分離ゴムは帯状に形成されていると共に間隔を置いて配置された下地軸材間に跨って配設され、前記天井ボードの前記面材に沿う部分に帯状制振シートを介して帯状吸音ボードが貼り付けられている構成としたので、請求項１の作用効果に加え、帯状吸音ボードに音が入射したとき、帯状吸音ボードで吸音され、この際吸音ボードの振動は制振シートで抑制されるので、天井部における振動が伝播しにくくなる。また、この吸音ボードで吸収されずに反射した１次反射音は、音量が小さくなっていると共に重量壁体で反射されるので、壁体を介して他の部屋に漏れる音を減少させることができる。更に、壁体の一対の面材の少なくとも上部間に吸音材が配設されていれば、仮に面材の上部を透過した音も吸音材で吸音されるので、更に他の部屋に漏れる音を減少させることができる。
【００２９】
また、請求項３の発明の建物は、請求項１〜２のいずれか一つに記載の間仕切壁又は間仕切構造を有する構成としたので、請求項１〜２のいずれか一つに対応する効果を有する。
【図面の簡単な説明】
【図１】    この発明に係る間仕切壁を有する建物の要部拡大説明図である。
【図２】    図１に示した間仕切壁の部分分解斜視図である。
【図３】    この発明に係る間仕切壁の変形例を有する建物の要部拡大説明図である。
【図４】    図３に示した間仕切壁の部分分解斜視図である。
【図５】    図３のＣ−Ｃ線に沿う断面図である。
【図６】    この発明に係る間仕切壁の他の変形例を有する建物の要部拡大説明図である。
【図７】    図６に示した間仕切壁の部分分解斜視図である。
【図８】    図６の要部拡大説明図である。
【図９】    この発明の他の実施の形態に係る間仕切壁を有する建物の要部拡大説明図である。
【図１０】  従来の間仕切壁の一例を示す断面図である。
【図１１】  従来の間仕切壁の他の例を示す断面図である。
【符号の説明】
１０・・・天井下地材
１１・・・天井ボード
１２・・・間仕切壁
１３・・・枠体
１４・・・吸音材
１５・・・重量面材
１６・・・面材
１７・・・縦下地軸材
１８・・・横下地軸材
１９・・・振動分離ゴム（振動分離材）
２２・・・骨材層（振動分離材）
２３，２４・・・帯状制振シート
２５，２６・・・帯状吸音ボード
２７・・・吸音材
【図１】
0004176929.tif 000002
【図２】
0004176929.tif 000003
【図３】
0004176929.tif 000004
【図４】
0004176929.tif 000005
【図５】
0004176929.tif 000006
【図６】
0004176929.tif 000007
【図７】
0004176929.tif 000008
【図８】
0004176929.tif 000009
【図９】
0004176929.tif 000010
【図１０】
0004176929.tif 000011
【図１１】
0004176929.tif 000012